(57)【要約】【課題】椅子に座ったときの腿の開きを防止すること。【解決手段】右腿の外側の丸みに沿うように湾曲し弾性を有する素材で形成され当該湾曲内に腿を嵌め入れる開口を備えた右ストッパ１Ｒと、左腿の外側の丸みに沿うように湾曲し弾性を有する素材で形成され当該湾曲内に腿を嵌め入れる開口を備えた左ストッパ１Ｌと、前記右ストッパと左ストッパとを離さないように内包したカバー２とを備えた。【選択図】図１
2011143037.tif 000002
【特許請求の範囲】
【請求項１】
右腿の外側の丸みに沿うように湾曲し弾性を有する素材で形成され当該湾曲内に腿を嵌め入れる開口を備えた右ストッパと、左腿の外側の丸みに沿うように湾曲し弾性を有する素材で形成され当該湾曲内に腿を嵌め入れる開口を備えた左ストッパと、前記右ストッパと左ストッパとを離さないように内包したカバーとを備えたことを特徴とする腿開き防止具。
【請求項２】
前記カバーの前記腿と接触する部位に弾性を有するガードを装着したことを特徴とする請求項１記載の腿開き防止具。
【請求項３】
前記カバーの内部において前記右ストッパと前記左ストッパとの間に隙間を設けることによって、当該隙間がヒンジとして機能することを特徴とした請求項１又は２に記載の腿開き防止具。
【請求項４】
右腿の外側の丸みに沿うように湾曲し弾性を有する素材で形成され当該湾曲内に腿を嵌め入れる開口を備えた右ストッパと、左腿の外側の丸みに沿うように湾曲し弾性を有する素材で形成され当該湾曲内に腿を嵌め入れる開口を備えた左ストッパと、この右ストッパと左ストッパとの連結部に設けられたヒンジとを備えたことを特徴とする腿開き防止具。
【発明の詳細な説明】
【技術分野】
【０００１】
本発明は、椅子等に座った際に腿が開いてしまうことを防止する腿開き防止具に関する。
【背景技術】
【０００２】
椅子に座って足の力が抜けると、腿が開いてしまうことがある。電車で椅子に座っている場合は、腿が開いて隣の乗客に迷惑をかけることがあるし、また、対面から見て腿の開いた体裁は悪く、女性の場合視線も気になる。少し離れて対面する会議などの席でも同様の不都合がある。
【０００３】
かかる不都合を解消するため特許文献１では、腿を結束する帯状のバンドを開示している。しかし、帯状のバンドは腿の開きを止める力を出すために生地の幅を広く取る必要があり、それを装着している状態が目立ってしまう。
【先行技術文献】
【特許文献】
【０００４】
【特許文献１】特開２０００−１９９１１４号公報
【発明の概要】
【発明が解決しようとする課題】
【０００５】
そこで本発明は、従来例とは全く異なる構造の腿開き防止具を提供し、従来例に比べ幅を狭くすることが可能で目立ちにくい腿開き防止具を提供する。
【課題を解決するための手段】
【０００６】
本発明の腿開き防止具は、右腿の外側の丸みに沿うように湾曲し弾性を有する素材で形成され当該湾曲内に腿を嵌め入れる開口を備えた右ストッパと、左腿の外側の丸みに沿うように湾曲し弾性を有する素材で形成され当該湾曲内に腿を嵌め入れる開口を備えた左ストッパと、右ストッパと左ストッパとを離さないように内包したカバーとを備える。
【０００７】
利用者は、右腿を右ストッパに嵌め入れると共に、左腿を左ストッパに嵌め入れて椅子に座る。この状態でカバーが右ストッパと左ストッパとを離さないように引っ張り、かつ、右ストッパおよび左ストッパの弾性により両腿を保持するので、腿の開きが防止される。また、右ストッパおよび左ストッパの弾性を増すことによって、各ストッパの部材の幅を狭めることが可能なので、従来より幅が狭く目立ちにくい腿開き防止具を提供することができる。
【発明の効果】
【０００８】
以上の通り本発明によれば、従来例とは全く異なる構造の腿開き防止具によって、従来例に比べ幅を狭くすることが可能で目立ちにくい腿開き防止具を提供することができる。
【図面の簡単な説明】
【０００９】
【図１】図１は腿開き防止具の構成図であり、（ｂ）が腿開き防止具を断面で表した正面図であり、（ａ）がその平面図である。
【発明を実施するための形態】
【００１０】
以下、本発明の実施形態を説明する。図１に示す腿開き防止具１０は、右ストッパ１Ｒと、左ストッパ１Ｌと、これらを内包するカバー２と、各腿との接触部に設けたガード３とを備えている。
【００１１】
右ストッパ１Ｒは、右腿の外側の丸みに沿うように湾曲し弾性を有する素材で形成され当該湾曲内に腿を嵌め入れる開口を備えている。また、左ストッパ１Ｌも同様に、左腿の外側の丸みに沿うように湾曲し弾性を有する素材で形成され当該湾曲内に腿を嵌め入れる開口を備えている。カバー２は、これら右ストッパ１Ｒと左ストッパ１Ｌとを離さないように内包する。ガード３は、カバー２が腿と接触する部位に弾性を有する素材によって装着されている。
【００１２】
カバー２の内部では、右ストッパ１Ｒと左ストッパ１Ｌとの間に隙間が設けられている。この隙間がヒンジとして機能する。
【００１３】
更に詳述すると、本実施形態において、各ストッパ１Ｒ，１Ｌを形成する素材は、合成樹脂又は竹笹類が好ましく、例えば、適当な径の塩化ビニールパイプを加工することによって容易に得ることができる。具体的には、塩化ビニールパイプを短冊状に輪切りにし、その輪切りの円周上の一部を切断する。そして、熱を加えながら輪を開いて腿を嵌めるという目的に適した大きさまで広げる。外観は「つ」の字のような形に成形する。その後冷やすと成形されたストッパ１Ｒ，１Ｌを得ることができる。この方法によればストッパを安価に製造できる。
【００１４】
また、カバー２の素材は、各ストッパ１Ｒ，１Ｌを内包し両者が離れないように保持できる素材であればよいが、試作品においては布地を縫って作成した。カバー２を布地によって細長い袋状に縫い、中に右ストッパ１Ｒと左ストッパ１Ｌとを対称な向きに挿入し、その挿入部を縫って内包させた。
【００１５】
また、ガード３は、各ストッパ１Ｒ，１Ｌが腿を押圧する際に腿や衣服を傷つけたり痛みを感じたりしないようにする目的で設けている。ガード３は、その目的を達する弾性を有する素材であればよいが、試作品ではカバー２にフェルトを貼り付けた。
【００１６】
そして利用者は、右ストッパ１Ｒと左ストッパ１Ｌとの間のヒンジを利用しながら右ストッパ１Ｒに右腿を、左ストッパ１Ｌに左腿をそれぞれ嵌め入れ、腿開き防止具１０を自分の前側から装着し、椅子に座る。両腿が開こうとすると、各ストッパ１Ｒ，１Ｌから受ける抗力によって、腿が開くのを抑制される。このとき、両腿を一周巻いてしまう従来例とは異なり、腿の裏側を巻かないので、従来例に比べ腿を動かす自由度が高く、また、椅子に座ったときに腿の裏に違和感もなく、腿の裏に跡が付くこともない。
【００１７】
また、右ストッパ１Ｒと左ストッパ１Ｌとの間のヒンジによって、携帯時にはコンパクトに折り畳むことができる。
【００１８】
ここで、図１では各ストッパ１Ｒ，１Ｌがカバー２の内部で浮いているかのように描かれている。しかし、これは構造を分かりやすく表すためにそうしたもので、実際の使用時には、各ストッパ１Ｒ，１Ｌは腿に抗力を与えるので、カバー２の腿側の生地に当接する。同様に、構造を分かりやすくするために、各ストッパとカバーとの間に空間を描いているため、一見厚みが目立つが、実際には、塩化ビニールパイプの素材の厚みと、布生地の厚みだけなので、製品は薄く作ることができる。また、本発明は、上記の実施形態に限られるものではない。例えば、各構成要素の素材は実施形態で示した具体例に限るものではない。また、カバー内で各ストッパがずれないように、カバーのヒンジ部分でカバーの素材を接合し、右ストッパの室と左ストッパの室とを分離してもよい。
【００１９】
また、右ストッパと左ストッパとをヒンジの部分で物理的に連結してカバーを不要とし、当該連結部にヒンジを形成してもよい。この場合、ヒンジを含む全体を合成樹脂で成形してもよく、ガードを装着する場合は各ストッパに直接装着すればよい。右ストッパと左ストッパとの連結部を着脱可能としてもよい。
【符号の説明】
【００２０】
１Ｒ  右ストッパ
１Ｌ  左ストッパ
２  カバー
３  ガード
【図１】
2011143037.tif 000003